(57)【要約】本発明は、動的ＴＤＤシステムの下り測定メカニズムにより、ユーザ機器の処理が複雑になり、電力損失が大きくなるという従来技術に存在する問題を解決するために、基準サブフレーム確定用の方法、システム及び機器を提供する。本発明の実施例において、１つの下りＣＳＩ測定サブフレーム集合について、上記ユーザ機器は、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定する。よって、ユーザ機器は、Ａ−ＣＳＩフィードバックサブフレーム毎に、Ａ−ＣＳＩをフィードバックする必要のある下りＣＳＩ測定サブフレーム集合を確定し、対応するＡ−ＣＳＩ測定基準サブフレームを取得することができ、ユーザ機器の処理複雑度を効果的に低下させ、ユーザ機器の電力損失を減少させる。【選択図】図２
2017517197.tif 000002
【特許請求の範囲】
【請求項１】
ユーザ機器が、ネットワーク側で設定された少なくとも２つの下りチャネル状態情報ＣＳＩ測定サブフレーム集合を確定することと、
上記ユーザ機器が、１つの下りＣＳＩ測定サブフレーム集合に対し、所定のルールに従い、当該下りＣＳＩ測定サブフレーム集合の下り非周期的チャネル状態情報Ａ−ＣＳＩ基準サブフレーム番号を確定し、確定した上記下りＡ−ＣＳＩ基準サブフレーム番号に基づいて下りＡ−ＣＳＩ基準サブフレームを確定することと
を含むことを特徴とする基準サブフレーム確定用の方法。
【請求項２】
上記所定のルールは、
ネットワーク側機器からユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること
のうちの一部又は全てを含むことを特徴とする請求項１に記載の方法。
【請求項３】
上記サブセットには、少なくとも１つのサブフレームを含むことを特徴とする請求項２に記載の方法。
【請求項４】
上記プロトコルで設定されたルールは、
下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含むことを特徴とする請求項２に記載の方法。
【請求項５】
下りＣＳＩ測定サブフレーム集合の中のサブフレームに対応するサブフレーム番号は、
下りＣＳＩ測定サブフレーム集合の中のサブフレームに対応するサブフレーム番号のうち、低いほうからＭ１（Ｍ１が正整数である）個のサブフレーム番号と、
下りＣＳＩ測定サブフレーム集合の中のサブフレームに対応するサブフレーム番号のうち、高いほうからＭ２（Ｍ２が正整数である）個のサブフレーム番号と、
のうちの一部又は全てであることを特徴とする請求項４に記載の方法。
【請求項６】
上記ユーザ機器が、１つの下りＣＳＩ測定サブフレーム集合に対し、所定のルールに従い、当該下りＣＳＩ測定サブフレーム集合の下りＡ−ＣＳＩ基準サブフレーム番号を確定する前に、
上記ユーザ機器が、当該下りＣＳＩ測定サブフレーム集合に対し、設定条件を満たすと確定することを更に含むことを特徴とする請求項１に記載の方法。
【請求項７】
上記設定条件は、
当該下りＣＳＩ測定サブフレーム集合に属する下りＡ−ＣＳＩ基準サブフレームが［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）の間に存在しないこと、
ネットワーク側で、当該下りＣＳＩ測定サブフレーム集合に対する下りＡ−ＣＳＩ基準サブフレーム番号を設定すること
のうちの一部又は全てを含むことを特徴とする請求項６に記載の方法。
【請求項８】
上記ユーザ機器が、ネットワーク側で設定された少なくとも２つの下りＣＳＩ測定サブフレーム集合を確定してから、
上記ユーザ機器が、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することを更に含むことを特徴とする請求項６に記載の方法。
【請求項９】
ｋ２＝４であることを特徴とする請求項７又は８に記載の方法。
【請求項１０】
上記ユーザ機器が、確定した上記下りＡ−ＣＳＩ基準サブフレームに基づいて下りＡ−ＣＳＩ基準サブフレームを確定してから、更に、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、上記ユーザ機器が、確定した下りＡ−ＣＳＩ基準サブフレームのうち、サブフレームｎに最も近い１つの下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、上記ユーザ機器が、確定した下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックすることを含むことを特徴とする請求項６に記載の方法。
【請求項１１】
上記ユーザ機器が、確定した上記下りＡ−ＣＳＩ基準サブフレームに基づいて下りＡ−ＣＳＩ基準サブフレームを確定してから、更に、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、上記ユーザ機器が、確定した下りＡ−ＣＳＩ基準サブフレームのうち、サブフレームｎに最も近い１つの下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、上記ユーザ機器が、確定した下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックすることを含むことを特徴とする請求項８に記載の方法。
【請求項１２】
上記ユーザ機器が、当該下りＣＳＩ測定サブフレーム集合の下りＡ−ＣＳＩ基準サブフレームを確定してから、更に、
１つの下りＣＳＩ測定サブフレーム集合に対し、確定した当該下りＣＳＩ測定サブフレーム集合の下りＡ−ＣＳＩ基準サブフレームが複数であると、上記ユーザ機器が、確定した下りＡ−ＣＳＩ基準サブフレームのうち、サブフレームｎに最も近い１つの下りＡ−ＣＳＩ基準サブフレームで当該下りＣＳＩ測定サブフレーム番号集合のＡ−ＣＳＩを測定し、
又は、
１つの下りＣＳＩ測定サブフレーム集合に対し、確定した当該下りＣＳＩ測定サブフレーム集合の下りＡ−ＣＳＩ基準サブフレームが１つであると、上記ユーザ機器が、確定した下りＡ−ＣＳＩ基準サブフレームのベースバンド信号値を記憶することを含むことを特徴とする請求項１〜６のいずれか一項に記載の方法。
【請求項１３】
上記ユーザ機器が、確定した上記下りＡ−ＣＳＩ基準サブフレーム番号に基づいて下りＡ−ＣＳＩ基準サブフレームを確定することは、
上記下りＡ−ＣＳＩ基準サブフレーム番号に対応し、サブフレームｎ（上記ユーザ機器がＡ−ＣＳＩをフィードバックする上りサブフレーム）に最も近いサブフレームが上りサブフレームであると、上記ユーザ機器が、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は
上記下りＡ−ＣＳＩ基準サブフレーム番号に対応し、サブフレームｎに最も近いサブフレームが下りサブフレームであると、上記ユーザ機器が、当該下りサブフレームを下りＡ−ＣＳＩ基準サブフレームとすることを含むことを特徴とする請求項１〜１１のいずれか一項に記載の方法。
【請求項１４】
ネットワーク側で設定された下りＣＳＩ測定サブフレーム集合が２つであると、
上記ユーザ機器が、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することを特徴とする請求項１〜１１のいずれか一項に記載の方法。
【請求項１５】
ネットワーク側機器が、ユーザ機器に設定する少なくとも２つの下りＣＳＩ測定サブフレーム集合を確定することと、
上記ネットワーク側機器が、１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定することと
を含むことを特徴とする基準サブフレーム確定用の方法。
【請求項１６】
上記所定のルールは、
ネットワーク側がユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること
のうちの一部又は全てを含むことを特徴とする請求項１５に記載の方法。
【請求項１７】
上記サブセットには、少なくとも１つのサブフレームを含むことを特徴とする請求項１６に記載の方法。
【請求項１８】
上記プロトコルで設定されたルールは、
下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含むことを特徴とする請求項１６に記載の方法。
【請求項１９】
下りＣＳＩ測定サブフレーム集合の中のサブフレームに対応するサブフレーム番号は、
下りＣＳＩ測定サブフレーム集合の中のサブフレームに対応するサブフレーム番号のうち、低いほうからＭ１（Ｍ１が正整数である）個のサブフレーム番号と、
下りＣＳＩ測定サブフレーム集合の中のサブフレームに対応するサブフレーム番号のうち、高いほうからＭ２（Ｍ２が正整数である）個のサブフレーム番号と、
のうちの一部又は全てであることを特徴とする請求項１８に記載の方法。
【請求項２０】
上記ネットワーク側機器が、１つの下りＣＳＩ測定サブフレーム集合に対し、所定のルールに従い、当該下りＣＳＩ測定サブフレーム集合の下りＡ−ＣＳＩ基準サブフレーム番号を確定する前に、
上記ネットワーク側機器が、当該下りＣＳＩ測定サブフレーム集合に対し、設定条件を満たすと確定することを更に含むことを特徴とする請求項１５に記載の方法。
【請求項２１】
上記設定条件は、
当該下りＣＳＩ測定サブフレーム集合に属する下りＡ−ＣＳＩ基準サブフレームが［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）の間に存在しないこと、
ネットワーク側で、当該下りＣＳＩ測定サブフレーム集合に対する下りＡ−ＣＳＩ基準サブフレーム番号を設定すること
のうちの一部又は全てを含むことを特徴とする請求項２０に記載の方法。
【請求項２２】
上記ネットワーク側機器が、ネットワーク側で設定された少なくとも２つの下りＣＳＩ測定サブフレーム集合を確定してから、
上記ネットワーク側機器が、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することを更に含むことを特徴とする請求項２０に記載の方法。
【請求項２３】
ｋ２＝４であることを特徴とする請求項２１又は２２に記載の方法。
【請求項２４】
上記ネットワーク側機器が、確定した上記下りＡ−ＣＳＩ基準サブフレーム番号に基づいて下りＡ−ＣＳＩ基準サブフレームを確定することは、
上記下りＡ−ＣＳＩ基準サブフレーム番号に対応し、サブフレームｎ（上記ユーザ機器がＡ−ＣＳＩをフィードバックする上りサブフレーム）に最も近いサブフレームが上りサブフレームであると、上記ネットワーク側機器が、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は
上記下りＡ−ＣＳＩ基準サブフレーム番号に対応し、サブフレームｎに最も近いサブフレームが下りサブフレームであると、上記ネットワーク側機器が、当該下りサブフレームを下りＡ−ＣＳＩ基準サブフレームとすることを含むことを特徴とする請求項１５〜２２のいずれか一項に記載の方法。
【請求項２５】
ユーザ機器に設定する下りＣＳＩ測定サブフレーム集合が２つであると、
上記ネットワーク側機器が、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することを特徴とする請求項１５〜２３のいずれか一項に記載の方法。
【請求項２６】
上記ネットワーク側機器が、確定した上記下りＡ−ＣＳＩ基準サブフレーム番号に基づいて下りＡ−ＣＳＩ基準サブフレームを確定してから、
１つの下りＣＳＩ測定サブフレーム集合に対し、上記ネットワーク側機器が、当該下りＣＳＩ測定サブフレーム集合の下りＡ−ＣＳＩ基準サブフレームを上記ユーザ機器に通知することを更に含むことを特徴とする請求項１５〜２３のいずれか一項に記載の方法。
【請求項２７】
上記ネットワーク側機器が、確定した上記下りＡ−ＣＳＩ基準サブフレーム番号に基づいて下りＡ−ＣＳＩ基準サブフレームを確定してから、
上記ネットワーク側機器が、少なくとも１つのＣＳＩ測定サブフレーム集合に対するＡ−ＣＳＩトリガシグナルをユーザ機器に送信し、当該測定サブフレーム集合に対するＡ−ＣＳＩ（上記確定したＡ−ＣＳＩ基準サブフレームで測定される）を報告するようユーザ機器をトリガすることを更に含むことを特徴とする請求項１５〜２３のいずれか一項に記載の方法。
【請求項２８】
ネットワーク側で設定された少なくとも２つの下りＣＳＩ測定サブフレーム集合を確定するための第１集合確定モジュールと、
１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するための第１サブフレーム確定モジュールと
を含むことを特徴とする基準サブフレーム確定用のユーザ機器。
【請求項２９】
上記所定のルールは、
ネットワーク側機器からユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること
のうちの一部又は全てを含むことを特徴とする請求項２８に記載のユーザ機器。
【請求項３０】
上記サブセットには、少なくとも１つのサブフレームを含むことを特徴とする請求項２９に記載のユーザ機器。
【請求項３１】
上記プロトコルで設定されたルールは、
下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含むことを特徴とする請求項２９に記載のユーザ機器。
【請求項３２】
下りＣＳＩ測定サブフレーム集合の中のサブフレームに対応するサブフレーム番号は、
下りＣＳＩ測定サブフレーム集合の中のサブフレームに対応するサブフレーム番号のうち、低いほうからＭ１（Ｍ１が正整数である）個のサブフレーム番号と、
下りＣＳＩ測定サブフレーム集合の中のサブフレームに対応するサブフレーム番号のうち、高いほうからＭ２（Ｍ２が正整数である）個のサブフレーム番号と、
のうちの一部又は全てであることを特徴とする請求項３１に記載のユーザ機器。
【請求項３３】
上記第１サブフレーム確定モジュールは、更に、
１つの下りＣＳＩ測定サブフレーム集合について、当該下りＣＳＩ測定サブフレーム集合が設定条件を満たすと確定すると、当該下りＣＳＩ測定サブフレーム集合の下りＡ−ＣＳＩ基準サブフレーム番号を確定することを特徴とする請求項２８に記載のユーザ機器。
【請求項３４】
上記設定条件は、
当該下りＣＳＩ測定サブフレーム集合に属する下りＡ−ＣＳＩ基準サブフレームが［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）の間に存在しないこと、
ネットワーク側で、当該下りＣＳＩ測定サブフレーム集合に対する下りＡ−ＣＳＩ基準サブフレーム番号を設定すること
のうちの一部又は全てを含むことを特徴とする請求項３３に記載のユーザ機器。
【請求項３５】
上記第１サブフレーム確定モジュールは、更に、
１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することを特徴とする請求項３３に記載のユーザ機器。
【請求項３６】
ｋ２＝４であることを特徴とする請求項３４又は３５に記載のユーザ機器。
【請求項３７】
上記第１サブフレーム確定モジュールは、更に、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、確定した下りＡ−ＣＳＩ基準サブフレームのうち、サブフレームｎに最も近い１つの下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、確定した下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックすることを特徴とする請求項３３に記載のユーザ機器。
【請求項３８】
上記第１サブフレーム確定モジュールは、更に、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、確定した下りＡ−ＣＳＩ基準サブフレームのうち、サブフレームｎに最も近い１つの下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、確定した下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックすることを特徴とする請求項３５に記載のユーザ機器。
【請求項３９】
上記第１サブフレーム確定モジュールは、更に、
１つの下りＣＳＩ測定サブフレーム集合に対し、確定した当該下りＣＳＩ測定サブフレーム集合の下りＡ−ＣＳＩ基準サブフレームが複数であると、確定した下りＡ−ＣＳＩ基準サブフレームのうち、サブフレームｎに最も近い１つの下りＡ−ＣＳＩ基準サブフレームで当該下りＣＳＩ測定サブフレーム番号集合のＡ−ＣＳＩを測定し、
又は、
１つの下りＣＳＩ測定サブフレーム集合に対し、確定した当該下りＣＳＩ測定サブフレーム集合の下りＡ−ＣＳＩ基準サブフレームが１つであると、確定した下りＡ−ＣＳＩ基準サブフレームのベースバンド信号値を記憶することを特徴とする請求項２８〜３３のいずれか一項に記載のユーザ機器。
【請求項４０】
上記第１サブフレーム確定モジュールは、具体的に、
上記下りＡ−ＣＳＩ基準サブフレーム番号に対応し、サブフレームｎ（上記ユーザ機器がＡ−ＣＳＩをフィードバックする上りサブフレーム）に最も近いサブフレームが上りサブフレームであると、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は
上記下りＡ−ＣＳＩ基準サブフレーム番号に対応し、サブフレームｎに最も近いサブフレームが下りサブフレームであると、当該下りサブフレームを下りＡ−ＣＳＩ基準サブフレームとすることを特徴とする請求項２８〜３８のいずれか一項に記載のユーザ機器。
【請求項４１】
上記第１サブフレーム確定モジュールは、具体的に、
ネットワーク側で設定された下りＣＳＩ測定サブフレーム集合が２つであると、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することを特徴とする請求項２８〜３８のいずれか一項に記載のユーザ機器。
【請求項４２】
ユーザ機器に設定する少なくとも２つの下りＣＳＩ測定サブフレーム集合を確定するための第２集合確定モジュールと、
１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するための第２サブフレーム確定モジュールと
を含むことを特徴とする基準サブフレーム確定用のネットワーク側機器。
【請求項４３】
上記所定のルールは、
ネットワーク側がユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること
のうちの一部又は全てを含むことを特徴とする請求項４２に記載のネットワーク側機器。
【請求項４４】
上記サブセットには、少なくとも１つのサブフレームを含むことを特徴とする請求項４３に記載のネットワーク側機器。
【請求項４５】
上記プロトコルで設定されたルールは、
下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含むことを特徴とする請求項４３に記載のネットワーク側機器。
【請求項４６】
下りＣＳＩ測定サブフレーム集合の中のサブフレームに対応するサブフレーム番号は、
下りＣＳＩ測定サブフレーム集合の中のサブフレームに対応するサブフレーム番号のうち、低いほうからＭ１（Ｍ１が正整数である）個のサブフレーム番号と、
下りＣＳＩ測定サブフレーム集合の中のサブフレームに対応するサブフレーム番号のうち、高いほうからＭ２（Ｍ２が正整数である）個のサブフレーム番号と、
のうちの一部又は全てであることを特徴とする請求項４５に記載のネットワーク側機器。
【請求項４７】
上記第２サブフレーム確定モジュールは、さらに、
１つの下りＣＳＩ測定サブフレーム集合について、当該下りＣＳＩ測定サブフレーム集合が設定条件を満たすと確定すると、当該下りＣＳＩ測定サブフレーム集合の下りＡ−ＣＳＩ基準サブフレーム番号を確定することを特徴とする請求項４２に記載のネットワーク側機器。
【請求項４８】
上記設定条件は、
当該下りＣＳＩ測定サブフレーム集合に属する下りＡ−ＣＳＩ基準サブフレームが［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）の間に存在しないこと、
ネットワーク側で、当該下りＣＳＩ測定サブフレーム集合に対する下りＡ−ＣＳＩ基準サブフレーム番号を設定すること
のうちの一部又は全てを含むことを特徴とする請求項４７に記載のネットワーク側機器。
【請求項４９】
上記第２サブフレーム確定モジュールは、更に
１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することを特徴とする請求項４７に記載のネットワーク側機器。
【請求項５０】
ｋ２＝４であることを特徴とする請求項４８又は４９に記載のネットワーク側機器。
【請求項５１】
上記第２サブフレーム確定モジュールは、具体的に、
上記下りＡ−ＣＳＩ基準サブフレーム番号に対応し、サブフレームｎ（上記ユーザ機器がＡ−ＣＳＩをフィードバックする上りサブフレーム）に最も近いサブフレームが上りサブフレームであると、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は
上記下りＡ−ＣＳＩ基準サブフレーム番号に対応し、サブフレームｎに最も近いサブフレームが下りサブフレームであると、当該下りサブフレームを下りＡ−ＣＳＩ基準サブフレームとすることを特徴とする請求項４２〜４９のいずれか一項に記載のネットワーク側機器。
【請求項５２】
上記第２サブフレーム確定モジュールは、更に、
ユーザ機器に設定する下りＣＳＩ測定サブフレーム集合が２つであると、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することを特徴とする請求項４２〜５０のいずれか一項に記載のネットワーク側機器。
【請求項５３】
上記第２サブフレーム確定モジュールは、更に、
１つの下りＣＳＩ測定サブフレーム集合に対し、当該下りＣＳＩ測定サブフレーム集合の下りＡ−ＣＳＩ基準サブフレームを上記ユーザ機器に通知することを特徴とする請求項４２〜５０のいずれか一項に記載のネットワーク側機器。
【請求項５４】
上記第２サブフレーム確定モジュールは、更に、
少なくとも１つのＣＳＩ測定サブフレーム集合に対するＡ−ＣＳＩトリガシグナルをユーザ機器に送信し、当該測定サブフレーム集合に対するＡ−ＣＳＩ（上記確定したＡ−ＣＳＩ基準サブフレームで測定される）を報告するようユーザ機器をトリガすることを特徴とする請求項４２〜５０のいずれか一項に記載のネットワーク側機器。
【請求項５５】
ネットワーク側で設定された少なくとも２つの下りＣＳＩ測定サブフレーム集合を確定し、１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するためのユーザ機器と、
ユーザ機器に設定する少なくとも２つの下りＣＳＩ測定サブフレーム集合を確定し、１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するためのネットワーク側機器と
を含むことを特徴とする基準サブフレーム確定用のシステム。
【発明の詳細な説明】
【技術分野】
【０００１】
本願は、２０１４年５月８日に中国特許庁に提出された中国特許出願２０１４１０１９３２４０．８（発明の名称：「基準サブフレーム確定用の方法、システム及び機器」）の優先権を主張し、その全ての内容が援用により本願に取り込まれる。
【０００２】
本発明は、無線通信技術領域に関し、特に基準サブフレーム確定用の方法、システム及び機器に関する。
【背景技術】
【０００３】
ＬＴＥ（Ｌｏｎｇ  Ｔｅｒｍ  Ｅｖｏｌｕｔｉｏｎ）ＴＤＤ（Ｔｉｍｅ  Ｄｉｖｉｓｉｏｎ  Ｄｕｐｌｅｘｉｎｇ）システムのフレーム構造について、図１Ａに示すように、１つの無線フレームは、長さが１０ｍｓであり、特殊サブフレームと通常サブフレームとの２種類の計１０個のサブフレームを含み、各サブフレームの長さが１ｍｓである。特殊サブフレームは、ＤｗＰＴＳ（Ｄｏｗｎｌｉｎｋ  Ｐｉｌｏｔ  Ｔｉｍｅ  Ｓｌｏｔ）、ＧＰ（下りと上りの間のガード間隔）、ＵｐＰＴＳ（Ｕｐｌｉｎｋ  Ｐｉｌｏｔ  Ｔｉｍｅ  Ｓｌｏｔ）との３つのサブフレームに分ける。通常サブフレームは、上りサブフレームと下りサブフレームを含む。
【０００４】
ＴＤＤシステムにおいて、上り／下り伝送で同一の周波数資源が使用され、異なるサブフレームで上り／下り信号が伝送される。技術の発展に伴い、ますます多くのピコセル（Ｐｉｃｏ  ｃｅｌｌ）、ホーム基地局（Ｈｏｍｅ  ＮｏｄｅＢ）などの低電力基地局は、一部でのスモールカバレッジを提供するように整備される。このようなセルにおいて、ユーザ数が比較的少なく、且つサービスに関するユーザのリクエストの変化が比較的大きいため、セルの上り／下りサービスの割合に関するリクエストは、動的に変化することがある。
【０００５】
これに基づいて、より動的で、ＴＤＤ方式の上り／下り設定案が注目されている。１つの動的な上り／下りサブフレームの割当案として、一定時間の周期内に、下り伝送専用のサブフレーム、上り伝送専用のサブフレーム、上り又は下り伝送に柔軟に割り当てられるサブフレームの４種類のサブフレームを設定する。図１Ｂを例とすると、時間周期が１つの無線フレーム（一例に過ぎず、他の時間周期でもありうる）であり、サブフレーム＃０、＃５が下り専用サブフレームであり、サブフレーム＃２、＃７が上り専用サブフレームであり、サブフレーム＃１、＃６が特殊サブフレーム（下り専用サブフレームとされてもよい）であり、他のサブフレーム（＃３、＃４、＃８、＃９）が上り又は下り伝送に柔軟に割り当てられるサブフレームである。サービスに関するリクエストの動的変化に適応するために、上り又は下り伝送に柔軟に割り当てられるサブフレームについて、基地局は、サービスに関するリアルタイムのリクエストとチャネル状況に応じて動的に設定する。このような技術案において、無線フレーム毎に固定的に２つの上りサブフレームと特殊サブフレームが存在し、サポートできるＤＬ：ＵＬサブフレームの割合について、ＤＬ資源の最多割合が４：１であり、それ以上の下りがあるサブフレーム割当方式がサポートできない。
【０００６】
マルチセルによるネットワーク構築の場合、伝統的なＴＤＤネットワークにおいて、異なるセルでは同一の上り／下り設定が用いられる。従って、上りサブフレーム又は下りサブフレームにおいて、基地局又はＵＥは、図１Ｃ又は図１Ｄに示す隣接セル干渉を受ける。
隣接セル干渉Ｔｙｐｅ１：隣接セルで全て下り伝送が行われるサブフレームにおいて、自セルＵＥの下り受信は、隣接セルの基地局の下り信号の干渉を受ける。
隣接セル干渉Ｔｙｐｅ２：隣接セルで全て上り伝送が行われるサブフレームにおいて、自セル基地局によるＵＥ上り信号の受信は、隣接セルのＵＥ上り信号の干渉を受ける。
【０００７】
また、マルチセルによるネットワーク構築の場合、隣接するセルでは異なる上り／下り割合が設定されると、図１Ｅに示す交差タイムスロット干渉が起こりうる。図１Ｅにおいて、マクロセルで下り信号が送信されるタイムスロットに、Ｐｉｃｏ  Ｃｅｌｌが上り信号の受信をするため、両セルの間に２種類の干渉が生じる。
【０００８】
動的ＴＤＤシステムのサブフレーム集合毎に、下りＣＳＩ（Ｃｈａｎｎｅｌ  Ｓｔａｔｅ  Ｉｎｆｏｒｍａｔｉｏｎ）の測定とフィードバックが必要である。非周期的ＣＳＩの測定とフィードバックについて、ユーザ機器は、２つのサブフレーム集合の両方から適切なＣＳＩ基準サブフレームを見つけ出して非周期的ＣＳＩの測定に用いる必要がある。動的ＴＤＤシステムにおいて、ユーザ機器が上り基準ＵＬ−ＤＬ  ｃｏｎｆｉｇｕｒａｔｉｏｎ（上り−下り設定）を用いて上りスケジューリングシーケンスを確定する必要があるため、下り専用フレームしかをＡ−ＣＳＩ（ａｐｅｒｉｏｄｉｃ  ＣＳＩ）の基準サブフレームとすることができない。従って、伝送方向が動的に変更可能なサブフレーム集合について、Ａ−ＣＳＩの測定とフィードバックができない。
【０００９】
現在、１つの解決案として、下りサブフレーム集合１と下りサブフレーム集合２が存在し、且つユーザ機器がサブフレームｎで下りサブフレーム集合１のＤＬ  Ａ−ＣＳＩをフィードバックする必要があるとき、そのＡ−ＣＳＩ基準サブフレームがサブフレームｎ−ｋ１であり（ｋ１≧４、且つｎ−ｋ１がｎに最も近く、サブフレーム集合１に属する下りサブフレームである）、ユーザ機器がサブフレームｎで下りサブフレーム集合２のＤＬ  Ａ−ＣＳＩをフィードバックする必要があるとき、そのＡ−ＣＳＩ基準サブフレームがサブフレームｎ−ｋ２である（ｋ２≧４、且つｎ−ｋ２がｎに最も近く、サブフレーム集合２に属する下りサブフレームである）。
【００１０】
動的ＴＤＤにおいて、上り、下り基準設定は、それぞれＵＬ−ＤＬ  ｃｏｎｆｉｇｕｒａｔｉｏｎ  ＃０、＃５である。図１Ｆは、この場合でのＡ−ＣＳＩの測定とフィードバックのシーケンス模式図を示す。
【００１１】
ネットワークにおいて実際に使用される動的ＵＬ−ＤＬ  ｃｏｎｆｉｇｕｒａｔｉｏｎが７種類の設定のうちのいずれか１つであるため、サブフレーム＃２のみが終始してＡ−ＣＳＩ伝送確保用の上りサブフレームであり、上り基準設定に基づいて確定される上りスケジューリングシーケンスにおいて、それに対応するＡ−ＣＳＩトリガシグナル（トリガ）の送信位置が下りサブフレーム＃５である。このときネットワークで設定されたサブフレーム集合区分方式として、ｓｅｔ１には、｛０，１，５，６，７，８｝、即ち図で「Ｓ１」で示されるサブフレームを含み、ｓｅｔ２には、｛３，４，９｝、即ち図で「Ｓ２」で示されるサブフレームを含む。ユーザ機器は、ｓｅｔ１又はｓｅｔ２に対するＡ−ＣＳＩをサブフレーム＃２で送信できることが必要であり、即ち、サブフレーム集合毎に、少なくとも１つの使用可能で且つフィードバックサブフレーム＃２に最も近いＡ−ＣＳＩ基準サブフレームを見つけ出せることが必要である。この例では、集合ｓｅｔ１のＡ−ＣＳＩフィードバックについて、ユーザ機器は、フィードバック無線フレームＬのうち、サブフレーム＃２の前に最も近く、且つ距離が４個のサブフレーム以上である有効下りサブフレームを基準サブフレームとして使用し、無線フレームＬ−１で実際に使用される動的ＵＬ−ＤＬ  ｃｏｎｆｉｇｕｒａｔｉｏｎに基づいて、当該基準サブフレームがサブフレーム＃８、＃７、＃６、＃５のうちの１つである可能性がある。サブフレーム＃５とサブフレーム＃６が各種類のＵＬ−ＤＬ  ｃｏｎｆｉｇｕｒａｔｉｏｎで全て下りサブフレームであるため、ユーザ機器は、無線フレームＬ−１のサブフレーム＃５で送信されたＡ−ＣＳＩトリガシグナルをディコーディングしてから、初めて無線フレームＬ−１のＡ−ＣＳＩ基準サブフレーム（＃５、＃６、＃７、＃８）を測定するが、Ａ−ＣＳＩトリガシグナル送信前に測定する必要がない。同様の例では、集合ｓｅｔ２のＡ−ＣＳＩ基準サブフレームも、ネットワークにおいて実際に動的に使用されるＵＬ−ＤＬ  ｃｏｎｆｉｇｕｒａｔｉｏｎの影響を受ける。無線フレームＬのサブフレーム＃２において、ｓｅｔ２のＡ−ＣＳＩのフィードバックに対応する有効Ａ−ＣＳＩ基準サブフレーム（即ち、無線フレームＬ−１の中のサブフレーム＃３、＃４、又は、無線フレームＬ−２の中のサブフレーム＃３、＃４、＃９など）が全てＡ−ＣＳＩトリガシグナルサブフレームの前にあるため、ユーザ機器は、Ａ−ＣＳＩトリガシグナルの受信前に、Ａ−ＣＳＩの測定を試みるか、少なくとも関連信号を記憶する必要がある。よって、無線フレームＬ−１の中のサブフレーム＃５でいったんＡ−ＣＳＩトリガシグナルを受信すると、ｓｅｔ２に対するＡ−ＣＳＩをフィードバックすることができる。また、無線フレーム毎に実際に使用されるＵＬ−ＤＬ  ｃｏｎｆｉｇｕｒａｔｉｏｎがいずれも動的に変化しうるため、ユーザ機器は、次の無線フレームで採用されるＵＬ−ＤＬ  ｃｏｎｆｉｇｕｒａｔｉｏｎに対し、更新済みの有効Ａ−ＣＳＩ基準サブフレームの提供可否を予測できない。従って、各無線フレームのサブフレーム＃３、＃４、＃９で全てＡ−ＣＳＩの測定又は関連信号値の記憶を行う必要がある。
【００１２】
このように、ユーザ機器による事前測定／記憶が必要とされることは、他の上り／下り基準設定の組み合わせの場合にも存在するが、ここでは重複に列挙しない。このような事前測定／記憶により、ユーザ機器の処理が複雑になり、複数回の測定／複数回の記憶もありうり、ユーザ機器の電力損失が増加する。
【００１３】
以上の記載をまとめると、現在の動的ＴＤＤシステムにおける下り測定メカニズムにより、ユーザ機器の処理が複雑になり、電力損失が大きくなる。
【発明の概要】
【００１４】
本発明は、動的ＴＤＤシステムの下り測定メカニズムにより、ユーザ機器の処理が複雑になり、電力損失が大きくなるという従来技術に存在する問題を解決するために、基準サブフレーム確定用の方法、システム及び機器を提供する。
【００１５】
本発明の実施例において、１つの下りＣＳＩ測定サブフレーム集合について、上記ユーザ機器は、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定する。よって、ユーザ機器は、Ａ−ＣＳＩフィードバックサブフレーム毎に、Ａ−ＣＳＩをフィードバックする必要のある下りＣＳＩ測定サブフレーム集合を確定し、対応するＡ−ＣＳＩ測定基準サブフレームを取得することができ、ユーザ機器の処理複雑度を効果的に低下させ、ユーザ機器の電力損失を減少させる。
【図面の簡単な説明】
【００１６】
本発明の実施例の技術案をより明確に説明するために、以下、実施例の記載に使用される図面を簡単に紹介する。以下に記載する図面は、本発明の一部の実施例に過ぎないことが明らかである。当業者にとって、創造性のある作業を付することなく、これらの図面から他の図面を得られる。
【図１Ａ】ＴＤ−ＬＴＥシステムのフレーム構造模式図である。
【図１Ｂ】動的上り／下りサブフレーム割当案の模式図である。
【図１Ｃ】ＴＤＤにおける同一タイムスロット設定の隣接セル干渉模式図である（ｔｙｐｅ１）。
【図１Ｄ】ＴＤＤにおける同一タイムスロット設定の隣接セル干渉模式図である（ｔｙｐｅ２）。
【図１Ｅ】ＴＤＤにおける交差タイムスロットの隣接セル干渉模式図である。
【図１Ｆ】動的ＴＤＤの上り、下り基準設定がそれぞれ＃０、＃５であるときのＡ−ＣＳＩフィードバックシーケンス模式図である。
【図２】本発明の実施例１の基準サブフレーム確定用の方法のフローチャートである。
【図３Ａ】本発明の実施例におけるシーケンス模式図その１である。
【図３Ｂ】本発明の実施例におけるシーケンス模式図その２である。
【図４】本発明の実施例におけるシーケンス模式図その３である。
【図５】本発明の実施例２の基準サブフレーム確定用の方法のフローチャートである。
【図６】本発明の実施例３のユーザ機器の構造模式図である。
【図７】本発明の実施例４のネットワーク側機器の構造模式図である。
【図８】本発明の実施例５のユーザ機器の構造模式図である。
【図９】本発明の実施例６のネットワーク側機器の構造模式図である。
【図１０】本発明の実施例７の基準サブフレーム確定用のシステムの構造模式図である。
【発明を実施するための形態】
【００１７】
本発明の実施例において、１つの下りＣＳＩ測定サブフレーム集合について、上記ユーザ機器は、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定する。よって、ユーザ機器は、Ａ−ＣＳＩフィードバックサブフレーム毎に、Ａ−ＣＳＩをフィードバックする必要のある下りＣＳＩ測定サブフレーム集合を確定し、対応するＡ−ＣＳＩ測定基準サブフレームを取得することができ、ユーザ機器の処理複雑度を効果的に低下させ、ユーザ機器の電力損失を減少させる。
【００１８】
以下、図面を参照しながら、本発明の実施例を更に詳細に記載する。
【００１９】
図２に示すように、本発明の実施例１の基準サブフレーム確定用の方法は、以下のステップを含む。
ステップ２００において、ユーザ機器は、ネットワーク側で設定された少なくとも２つの下りＣＳＩ測定サブフレーム集合を確定する。
ステップ２０１において、上記ユーザ機器は、１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定する。
【００２０】
ここで、所定のルールは、下記ルールのうちの一部又は全てを含む。
１）ネットワーク側機器からユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定する。
２）プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定する。
【００２１】
ここのサブセットには、少なくとも１つのサブフレームを含むことが好ましい。
【００２２】
実施の際に、設定されたルールは、下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含む。
【００２３】
下りＣＳＩ測定サブフレーム集合の中のサブフレームに対応するサブフレーム番号は、下記番号のうちの一部又は全てであることが好ましい。
１）下りＣＳＩ測定サブフレーム集合の中のサブフレームに対応するサブフレーム番号のうち、低いほうからＭ１個のサブフレーム番号；
２）下りＣＳＩ測定サブフレーム集合の中のサブフレームに対応するサブフレーム番号のうち、高いほうからＭ２個のサブフレーム番号。
ここで、Ｍ１、Ｍ２は、正整数であり、どの値を取るか必要に応じて設定される。
【００２４】
なお、上述の低いほうからＭ１個のサブフレーム番号と、高いほうからＭ２個のサブフレーム番号は、指示されるか、必要に応じて設定される。例えば、下りＣＳＩ測定サブフレーム集合の中のサブフレームに対応するサブフレーム番号のうち、高いほうから第Ｘ個サブフレーム番号である。
【００２５】
通常、実際の際に、全ての下りＣＳＩ測定サブフレーム集合について、確定した上記下りＡ−ＣＳＩ基準サブフレーム番号に基づいて下りＡ−ＣＳＩ基準サブフレームを確定するというわけではなく、好適な方式として、下りＣＳＩ測定サブフレーム集合が設定条件を満たすかを判断し、満たす場合に、所定のルールに従い、当該下りＣＳＩ測定サブフレーム集合の下りＡ−ＣＳＩ基準サブフレーム番号を確定する。
【００２６】
実施の際に、ネットワーク側で設定された下りＣＳＩ測定サブフレーム集合が２つであると、好適な方式として、ユーザ機器は、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定する。具体的にどの下りＣＳＩ測定サブフレーム集合について、所定のルールに従い、当該下りＣＳＩ測定サブフレーム集合の下りＡ−ＣＳＩ基準サブフレームを確定するかは、上述の方式で確定する。
【００２７】
実施の際には、設定条件は、以下のうちの一部又は全てを含む。
１）当該下りＣＳＩ測定サブフレーム集合に属する下りＡ−ＣＳＩ基準サブフレームが［サブフレームｎ−ｋ１，サブフレームｎ−ｋ２］の間に存在しない。ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
２）ネットワーク側で、当該下りＣＳＩ測定サブフレーム集合に対する下りＡ−ＣＳＩ基準サブフレーム番号を設定する。
【００２８】
［サブフレームｎ−ｋ１，サブフレームｎ−ｋ２］は、サブフレームｎ−ｋ１からサブフレームｎ−ｋ２までであり、しかもサブフレームｎ−ｋ１、サブフレームｎ−ｋ２を含む。
【００２９】
ｋ２＝４であることが好ましい。
【００３０】
実施の際に、設定条件を満たすと、所定のルールに従い、当該下りＣＳＩ測定サブフレーム集合の下りＡ−ＣＳＩ基準サブフレーム番号を確定する。
【００３１】
満たさないと、上記ユーザ機器は、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定する。ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
【００３２】
ステップ２０１の後に、ユーザ機器は、更に、確定した下りＡ−ＣＳＩ基準サブフレームに基づいて測定する。
【００３３】
具体的に、１つの下りＣＳＩ測定サブフレーム集合について、確定した当該下りＣＳＩ測定サブフレーム集合の下りＡ−ＣＳＩ基準サブフレームが複数であると、上記ユーザ機器は、確定した下りＡ−ＣＳＩ基準サブフレームのうち、サブフレームｎに最も近い１つの下りＡ−ＣＳＩ基準サブフレームで当該下りＣＳＩ測定サブフレーム集合のＡ−ＣＳＩを測定する。
１つの下りＣＳＩ測定サブフレーム集合について、確定した当該下りＣＳＩ測定サブフレーム集合の下りＡ−ＣＳＩ基準サブフレームが１つであると、上記ユーザ機器は、確定した下りＡ−ＣＳＩ基準サブフレームのベースバンド信号値を記憶する。
【００３４】
上記設定条件を満す下りＣＳＩ測定サブフレーム集合について、好適な方式として、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、上記ユーザ機器は、確定した下りＡ−ＣＳＩ基準サブフレームのうち、サブフレームｎに最も近い１つの下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、上記ユーザ機器は、確定した下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックする。
【００３５】
１つの下りＣＳＩ測定サブフレーム集合が上記設定条件を満し、且つ確定した当該下りＣＳＩ測定サブフレーム集合の下りＡ−ＣＳＩ基準サブフレームが複数であると、上記ユーザ機器は、確定した下りＡ−ＣＳＩ基準サブフレームのうち、サブフレームｎに最も近い１つの下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、上記ユーザ機器は、確定した下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックする。
【００３６】
複数の下りＡ−ＣＳＩ基準サブフレームの確定時に、動的に設定するため、異なる無線フレームで同一番号のサブフレームは、１つの無線フレームで上りであり、別の無線フレームで下りであることがある。これに基づいて、確定した上記下りＡ−ＣＳＩ基準サブフレーム番号に基づいて下りＡ−ＣＳＩ基準サブフレームを確定する際に、
上記下りＡ−ＣＳＩ基準サブフレーム番号に対応し、サブフレームｎに最も近いサブフレームが上りサブフレームであると、上記下りＡ−ＣＳＩ基準サブフレーム番号に対応するサブフレームのうち、サブフレームｎに最も近い１つの下りサブフレームを下りＡ−ＣＳＩ基準サブフレームとし、
上記下りＡ−ＣＳＩ基準サブフレーム番号に対応し、サブフレームｎに最も近いサブフレームが下りサブフレームであると、当該下りサブフレームを下りＡ−ＣＳＩ基準サブフレームとする。
【００３７】
以下、いくつかの実例を列挙する。
【００３８】
実例１：
図１Ｆの例に基づいて、ネットワーク側機器がサブフレーム集合２の中のサブフレーム＃４をそのＡ−ＣＳＩ基準サブフレームとして確定すると、ユーザ機器は、無線フレームＬ−１の中のサブフレーム＃４の信号を事前に測定し又は記憶し、無線フレームＬ−１の中のサブフレーム＃５で受信するＡ−ＣＳＩトリガシグナルによりトリガーされ、無線フレームＬの中のサブフレーム＃２でフィードバックされうる集合２のＡ−ＣＳＩに準備する。
無線フレームＬ−１の中のサブフレーム＃４が上りであると、ユーザ機器は、一つ前の周期内、即ち、無線フレームＬ−２の中のサブフレーム＃４が下りであるときの事前測定結果又は記憶した信号（無線フレームＬ−２の中のサブフレーム＃４がまた上りであると、前を遡ってサブフレーム＃４が下りである時の事前測定結果又は記憶した信号を見つけ出す）を記憶して、後続にありうる集合２のＡ−ＣＳＩ報告に用いる。
サブフレーム集合１において、ユーザ機器は、Ａ−ＣＳＩトリガシグナルサブフレームの後ろ（当該サブフレームを含む）に、終始してフィードバックサブフレーム＃２に最も近く、且つ距離が４個以上のサブフレームである有効Ａ−ＣＳＩ基準サブフレームを見つけ出すことができる。従って、サブフレーム集合１において、ユーザ機器は、従来案でＡ−ＣＳＩ基準サブフレームを確定することができる。具体的に、図３Ａと図３Ｂを参照する。
【００３９】
実例２：
図４に示すように、上り基準設定がＵＬ−ＤＬ  ｃｏｎｆｉｇｕｒａｔｉｏｎ＃２であると、Ａ−ＣＳＩトリガシグナルは、サブフレーム｛３，８｝で送信される可能性があり、且つサブフレーム集合の区分方式として、ｓｅｔ１には｛０，１，５，６｝を含み、ｓｅｔ２には｛３，４，７，８，９｝を含む。
ネットワーク側機器がｓｅｔ１の中のサブフレーム＃５を当該サブフレーム集合のＡ−ＣＳＩ基準サブフレームとして確定すると、ユーザ機器は、サブフレーム＃５のみの信号を事前に測定して記憶すればよく、サブフレーム＃８又は＃３で受信するＡ−ＣＳＩトリガシグナルによりトリガーされ、それぞれその後ろにあるサブフレーム＃２又はサブフレーム＃７でフィードバックされうるサブフレーム集合１のＡ−ＣＳＩに準備する。
サブフレーム集合２において、従来案に従い確定したＡ−ＣＳＩ基準資源サブフレーム＃８又は＃３が終始して下りサブフレームである（上り基準設定における下りサブフレームが動的に上りに変わることができない）ため、サブフレーム集合２において、ユーザ機器は、従来案でＡ−ＣＳＩ基準サブフレームを確定することができる。
【００４０】
図５に示すように、本発明の実施例２の基準サブフレーム確定用の方法は、
ネットワーク側機器が、ユーザ機器に設定する少なくとも２つの下りＣＳＩ測定サブフレーム集合を確定するステップ５００と、
上記ネットワーク側機器が、１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するステップ５０１とを含む。
【００４１】
ここで、所定のルールは、以下のルールのうちの一部又は全てを含む。
１）ネットワーク側がユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定する。
２）プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定する。
【００４２】
ここのサブセットには、少なくとも１つのサブフレームを含むことが好ましい。
【００４３】
実施の際に、上記プロトコルで設定されたルールは、下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含む。
【００４４】
下りＣＳＩ測定サブフレーム集合の中のサブフレームに対応するサブフレーム番号は、下記番号のうちの一部又は全てであることが好ましい。
１）下りＣＳＩ測定サブフレーム集合の中のサブフレームに対応するサブフレーム番号のうち、低いほうからＭ１（Ｍ１が正整数である）個のサブフレーム番号。
２）下りＣＳＩ測定サブフレーム集合の中のサブフレームに対応するサブフレーム番号のうち、高いほうからＭ２（Ｍ２が正整数である）個のサブフレーム番号。
ここで、Ｍ１、Ｍ２は、正整数であり、どの値を取るか必要に応じて設定される。
【００４５】
なお、上述の低いほうからＭ１個のサブフレーム番号と、高いほうからＭ２個のサブフレーム番号は、指示されるか、必要に応じて設定される。例えば、下りＣＳＩ測定サブフレーム集合の中のサブフレームに対応するサブフレーム番号のうち、高いほうから第Ｘ個サブフレーム番号である。
【００４６】
通常、実際の際に、全ての下りＣＳＩ測定サブフレーム集合について、確定した上記下りＡ−ＣＳＩ基準サブフレーム番号に基づいて下りＡ−ＣＳＩ基準サブフレームを確定するというわけではなく、好適な方式として、下りＣＳＩ測定サブフレーム集合が設定条件を満たすかを判断し、満たす場合に、所定のルールに従い、当該下りＣＳＩ測定サブフレーム集合の下りＡ−ＣＳＩ基準サブフレーム番号を確定する。
【００４７】
実施の際に、ネットワーク側機器から設定された下りＣＳＩ測定サブフレーム集合が２つであると、好適な方式として、ネットワーク側機器は、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定する。具体的にどの下りＣＳＩ測定サブフレーム集合について、所定のルールに従い、当該下りＣＳＩ測定サブフレーム集合の下りＡ−ＣＳＩ基準サブフレームを確定するかは、上述の方式で確定する。
【００４８】
実施の際に、設定条件は、下記のうちの一部又は全てを含む。
１）当該下りＣＳＩ測定サブフレーム集合に属する下りＡ−ＣＳＩ基準サブフレームが［サブフレームｎ−ｋ１，サブフレームｎ−ｋ２］の間に存在しない。ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
２）ネットワーク側で、当該下りＣＳＩ測定サブフレーム集合に対する下りＡ−ＣＳＩ基準サブフレーム番号を設定する。
【００４９】
［サブフレームｎ−ｋ１，サブフレームｎ−ｋ２］は、サブフレームｎ−ｋ１からサブフレームｎ−ｋ２までであり、しかもサブフレームｎ−ｋ１、サブフレームｎ−ｋ２を含む。
【００５０】
ｋ２＝４であることが好ましい。
【００５１】
実施の際に、設定条件を満たすと、所定のルールに従い、当該下りＣＳＩ測定サブフレーム集合の下りＡ−ＣＳＩ基準サブフレーム番号を確定する。
【００５２】
満たさないと、上記ネットワーク側機器は、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定する。
ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
【００５３】
上記下りＡ−ＣＳＩ基準サブフレーム番号に対応し、サブフレームｎに最も近いサブフレームが上りサブフレームであると、上記ネットワーク側機器は、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は、
上記下りＡ−ＣＳＩ基準サブフレーム番号に対応し、サブフレームｎに最も近いサブフレームが下りサブフレームであると、上記ネットワーク側機器は、当該下りサブフレームを下りＡ−ＣＳＩ基準サブフレームとする。ここで、サブフレームｎは、上記ユーザ機器がＡ−ＣＳＩをフィードバックする上りサブフレームである。
ここで、サブフレームｎは、上記ユーザ機器がＡ−ＣＳＩをフィードバックする上りサブフレームである。
【００５４】
上記ネットワーク側機器は、確定した上記下りＡ−ＣＳＩ基準サブフレーム番号に基づいて下りＡ−ＣＳＩ基準サブフレームを確定してから、１つの下りＣＳＩ測定サブフレーム集合に対し、当該下りＣＳＩ測定サブフレーム集合の下りＡ−ＣＳＩ基準サブフレームを上記ユーザ機器に通知することが好ましい。
【００５５】
実施の際に、通知の方式は、多様であり、例えば放送で通知するか、ＲＲＣ（Ｒａｄｉｏ  Ｒｅｓｏｕｒｃｅ  Ｃｏｎｔｒｏｌ）シグナルで通知する。
【００５６】
上記ネットワーク側機器は、確定した上記下りＡ−ＣＳＩ基準サブフレーム番号に基づいて下りＡ−ＣＳＩ基準サブフレームを確定してから、少なくとも１つのＣＳＩ測定サブフレーム集合に対するＡ−ＣＳＩトリガシグナルをユーザ機器に送信し、当該測定サブフレーム集合に対するＡ−ＣＳＩを報告するようユーザ機器をトリガすることが好ましい。
ここで、ユーザ機器から報告されるＡ−ＣＳＩは、上記確定したＡ−ＣＳＩ基準サブフレームで測定される。
【００５７】
同一の発明構想に基づいて、本発明の実施例は、方法に対応する機器を提供するが、問題を解決する原理が方法に似るため、機器の実施について、方法の実施を参照されたく、重複の部分を繰り返して記載しない。
【００５８】
図６に示すように、本発明の実施例３のユーザ機器は、
ネットワーク側で設定された少なくとも２つの下りＣＳＩ測定サブフレーム集合を確定するための第１集合確定モジュール６００と、
１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するための第１サブフレーム確定モジュール６１０とを含む。
【００５９】
上記所定のルールは、ネットワーク側機器からユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定することのうちの一部又は全てを含む。
【００６０】
上記サブセットには、少なくとも１つのサブフレームを含むことが好ましい。
【００６１】
上記プロトコルで設定されたルールは、下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含むことが好ましい。
【００６２】
下りＣＳＩ測定サブフレーム集合の中のサブフレームに対応するサブフレーム番号は、下りＣＳＩ測定サブフレーム集合の中のサブフレームに対応するサブフレーム番号のうち、低いほうからＭ１（Ｍ１が正整数である）個のサブフレーム番号と、下りＣＳＩ測定サブフレーム集合の中のサブフレームに対応するサブフレーム番号のうち、高いほうからＭ２（Ｍ２が正整数である）個のサブフレーム番号と、のうちの一部又は全てであることが好ましい。
【００６３】
上記第１サブフレーム確定モジュール６１０は、更に、１つの下りＣＳＩ測定サブフレーム集合について、当該下りＣＳＩ測定サブフレーム集合が設定条件を満たすと確定すると、当該下りＣＳＩ測定サブフレーム集合の下りＡ−ＣＳＩ基準サブフレーム番号を確定することが好ましい。
【００６４】
上記設定条件は、当該下りＣＳＩ測定サブフレーム集合に属する下りＡ−ＣＳＩ基準サブフレームが［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）の間に存在しないこと、ネットワーク側で、当該下りＣＳＩ測定サブフレーム集合に対する下りＡ−ＣＳＩ基準サブフレーム番号を設定することのうちの一部又は全てを含むことが好ましい。
【００６５】
上記第１サブフレーム確定モジュール６１０は、更に、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することが好ましい。
ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
【００６６】
ｋ２＝４であることが好ましい。
【００６７】
上記第１サブフレーム確定モジュール６１０は、更に、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、確定した下りＡ−ＣＳＩ基準サブフレームのうち、サブフレームｎに最も近い１つの下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、確定した下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックすることが好ましい。
【００６８】
上記第１サブフレーム確定モジュール６１０は、更に、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、確定した下りＡ−ＣＳＩ基準サブフレームのうち、サブフレームｎに最も近い１つの下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、確定した下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックすることが好ましい。
【００６９】
上記第１サブフレーム確定モジュール６１０は、更に、
１つの下りＣＳＩ測定サブフレーム集合に対し、確定した当該下りＣＳＩ測定サブフレーム集合の下りＡ−ＣＳＩ基準サブフレームが複数であると、確定した下りＡ−ＣＳＩ基準サブフレームのうち、サブフレームｎに最も近い１つの下りＡ−ＣＳＩ基準サブフレームで当該下りＣＳＩ測定サブフレーム集合のＡ−ＣＳＩを測定し、
又は、
１つの下りＣＳＩ測定サブフレーム集合に対し、確定した当該下りＣＳＩ測定サブフレーム集合の下りＡ−ＣＳＩ基準サブフレームが１つであると、確定した下りＡ−ＣＳＩ基準サブフレームのベースバンド信号値を記憶することが好ましい。
【００７０】
上記第１サブフレーム確定モジュール６１０は、具体的に、
上記下りＡ−ＣＳＩ基準サブフレーム番号に対応し、サブフレームｎに最も近いサブフレームが上りサブフレームであると、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は、
上記下りＡ−ＣＳＩ基準サブフレーム番号に対応し、サブフレームｎに最も近いサブフレームが下りサブフレームであると、当該下りサブフレームを下りＡ−ＣＳＩ基準サブフレームとすることが好ましい。
ここで、上記ユーザ機器がＡ−ＣＳＩをフィードバックする上りサブフレーム。
【００７１】
上記第１サブフレーム確定モジュール６１０は、具体的に、ネットワーク側で設定された下りＣＳＩ測定サブフレーム集合が２つであると、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することが好ましい。
【００７２】
図７に示すように、本発明の実施例４のネットワーク側機器は、
ユーザ機器に設定する少なくとも２つの下りＣＳＩ測定サブフレーム集合を確定するための第２集合確定モジュール７００と、
１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するための第２サブフレーム確定モジュール７１０とを含む。
【００７３】
上記所定のルールは、
ネットワーク側がユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること
のうちの一部又は全てを含むことが好ましい。
【００７４】
上記サブセットには、少なくとも１つのサブフレームを含むことが好ましい。
【００７５】
上記プロトコルで設定されたルールは、下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含むことが好ましい。
【００７６】
下りＣＳＩ測定サブフレーム集合の中のサブフレームに対応するサブフレーム番号は、
下りＣＳＩ測定サブフレーム集合の中のサブフレームに対応するサブフレーム番号のうち、低いほうからＭ１個のサブフレーム番号と、
下りＣＳＩ測定サブフレーム集合の中のサブフレームに対応するサブフレーム番号のうち、高いほうからＭ２個のサブフレーム番号と、
のうちの一部又は全てであることが好ましい。
ここで、Ｍ１とＭ２が正整数である。
【００７７】
上記第２サブフレーム確定モジュール７１０は、更に、１つの下りＣＳＩ測定サブフレーム集合について、当該下りＣＳＩ測定サブフレーム集合が設定条件を満たすと確定すると、当該下りＣＳＩ測定サブフレーム集合の下りＡ−ＣＳＩ基準サブフレーム番号を確定することが好ましい。
【００７８】
上記設定条件は、
当該下りＣＳＩ測定サブフレーム集合に属する下りＡ−ＣＳＩ基準サブフレームが［サブフレームｎ−ｋ１，サブフレームｎ−ｋ２］の間に存在しないこと、
ネットワーク側で、当該下りＣＳＩ測定サブフレーム集合に対する下りＡ−ＣＳＩ基準サブフレーム番号を設定することのうちの一部又は全てを含むことが好ましい。
ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
【００７９】
上記第２サブフレーム確定モジュール７１０は、更に、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することが好ましい。
ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
【００８０】
ｋ２＝４であることが好ましい。
【００８１】
上記第２サブフレーム確定モジュール７１０は、具体的に、
上記下りＡ−ＣＳＩ基準サブフレーム番号に対応し、サブフレームｎに最も近いサブフレームが上りサブフレームであると、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は、
上記下りＡ−ＣＳＩ基準サブフレーム番号に対応し、サブフレームｎに最も近いサブフレームが下りサブフレームであると、当該下りサブフレームを下りＡ−ＣＳＩ基準サブフレームとすることが好ましい。
ここで、上記ユーザ機器がＡ−ＣＳＩをフィードバックする上りサブフレーム。
【００８２】
上記第２サブフレーム確定モジュール７１０は、更に、ユーザ機器に設定する下りＣＳＩ測定サブフレーム集合が２つであると、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することが好ましい。
【００８３】
上記第２サブフレーム確定モジュール７１０は、更に、１つの下りＣＳＩ測定サブフレーム集合に対し、当該下りＣＳＩ測定サブフレーム集合の下りＡ−ＣＳＩ基準サブフレームを上記ユーザ機器に通知することが好ましい。
【００８４】
上記第２サブフレーム確定モジュール７１０は、更に、少なくとも１つのＣＳＩ測定サブフレーム集合に対するＡ−ＣＳＩトリガシグナルをユーザ機器に送信し、当該測定サブフレーム集合に対するＡ−ＣＳＩを報告するようユーザ機器をトリガすることが好ましい。
ここで、ユーザ機器から報告される上記Ａ−ＣＳＩは、上記確定したＡ−ＣＳＩ基準サブフレームで測定される。
【００８５】
図８に示すように、本発明の実施例５のユーザ機器は、
ネットワーク側で設定された少なくとも２つの下りＣＳＩ測定サブフレーム集合を確定し、１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するためのプロセッサ８００と、
プロセッサ８００の制御下でデータを送受信するためのトランシーバ８１０とを含む。
【００８６】
上記所定のルールは、
ネットワーク側機器からユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定することのうちの一部又は全てを含む。
【００８７】
上記サブセットには、少なくとも１つのサブフレームを含むことが好ましい。
【００８８】
上記プロトコルで設定されたルールは、下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含むことが好ましい。
【００８９】
下りＣＳＩ測定サブフレーム集合の中のサブフレームに対応するサブフレーム番号は、
下りＣＳＩ測定サブフレーム集合の中のサブフレームに対応するサブフレーム番号のうち、低いほうからＭ１個のサブフレーム番号と、
下りＣＳＩ測定サブフレーム集合の中のサブフレームに対応するサブフレーム番号のうち、高いほうからＭ２個のサブフレーム番号と、
のうちの一部又は全てであることが好ましい。
ここで、Ｍ１とＭ２が正整数である。
【００９０】
上記プロセッサ８００は、更に、１つの下りＣＳＩ測定サブフレーム集合について、当該下りＣＳＩ測定サブフレーム集合が設定条件を満たすと確定すると、当該下りＣＳＩ測定サブフレーム集合の下りＡ−ＣＳＩ基準サブフレーム番号を確定することが好ましい。
【００９１】
上記設定条件は、当該下りＣＳＩ測定サブフレーム集合に属する下りＡ−ＣＳＩ基準サブフレームが［サブフレームｎ−ｋ１，サブフレームｎ−ｋ２］の間に存在しないこと、ネットワーク側で、当該下りＣＳＩ測定サブフレーム集合に対する下りＡ−ＣＳＩ基準サブフレーム番号を設定することのうちの一部又は全てを含むことが好ましい。
ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
【００９２】
上記プロセッサ８００は、更に、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することが好ましい。
ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
【００９３】
ｋ２＝４であることが好ましい。
【００９４】
上記プロセッサ８００は、更に、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、確定した下りＡ−ＣＳＩ基準サブフレームのうち、サブフレームｎに最も近い１つの下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、確定した下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックすることが好ましい。
【００９５】
上記プロセッサ８００は、更に、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、確定した下りＡ−ＣＳＩ基準サブフレームのうち、サブフレームｎに最も近い１つの下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、確定した下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックすることが好ましい。
【００９６】
上記プロセッサ８００は、更に、
１つの下りＣＳＩ測定サブフレーム集合に対し、確定した当該下りＣＳＩ測定サブフレーム集合の下りＡ−ＣＳＩ基準サブフレームが複数であると、確定した下りＡ−ＣＳＩ基準サブフレームのうち、サブフレームｎに最も近い１つの下りＡ−ＣＳＩ基準サブフレームで当該下りＣＳＩ測定サブフレーム集合のＡ−ＣＳＩを測定し、
又は、
１つの下りＣＳＩ測定サブフレーム集合に対し、確定した当該下りＣＳＩ測定サブフレーム集合の下りＡ−ＣＳＩ基準サブフレームが１つであると、確定した下りＡ−ＣＳＩ基準サブフレームのベースバンド信号値を記憶することが好ましい。
【００９７】
上記プロセッサ８００は、具体的に、
上記下りＡ−ＣＳＩ基準サブフレーム番号に対応し、サブフレームｎに最も近いサブフレームが上りサブフレームであると、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は、
上記下りＡ−ＣＳＩ基準サブフレーム番号に対応し、サブフレームｎに最も近いサブフレームが下りサブフレームであると、当該下りサブフレームを下りＡ−ＣＳＩ基準サブフレームとすることが好ましい。
ここで、上記ユーザ機器がＡ−ＣＳＩをフィードバックする上りサブフレーム。
【００９８】
上記プロセッサ８００は、具体的に、ネットワーク側で設定された下りＣＳＩ測定サブフレーム集合が２つであると、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することが好ましい。
【００９９】
ここで、図８において、バスアーキテクチャは、任意数の相互接続するバスとブリッジを含み、具体的に、プロセッサ８００をはじめとする１つ又は複数のプロセサとメモリ８２０の各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー８１０は、複数の部品であってもよく、即ち送信機と受信機を含み、伝送媒体でほかの各種類の装置と通信するユニットとして提供される。ユーザ機器によっては、ユーザインタフェース８３０は、内部接続や外部接続する機器のインタフェースであってもよい。接続する機器は、キーパッド、ディスプレイ、スピーカ、マイクロフォン、ジョイスティックなどを含むが、それらに限られない。
【０１００】
プロセッサ８００は、バスアーキテクチャと通常の処理を管理する。メモリ８２０は、プロセッサ８００による作業時に使用されるデータを記憶できる。
【０１０１】
図９に示すように、本発明の実施例６のネットワーク側機器は、
ユーザ機器に設定する少なくとも２つの下りＣＳＩ測定サブフレーム集合を確定し、１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するためのプロセッサ９００と、
プロセッサ９００の制御下でデータを送受信するトランシーバ９１０とを含む。
【０１０２】
上記所定のルールは、
ネットワーク側がユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
のうちの一部又は全てを含むことが好ましい。
【０１０３】
上記サブセットには、少なくとも１つのサブフレームを含むことが好ましい。
【０１０４】
上記プロトコルで設定されたルールは、下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含むことが好ましい。
【０１０５】
下りＣＳＩ測定サブフレーム集合の中のサブフレームに対応するサブフレーム番号は、
下りＣＳＩ測定サブフレーム集合の中のサブフレームに対応するサブフレーム番号のうち、低いほうからＭ１個のサブフレーム番号と、
下りＣＳＩ測定サブフレーム集合の中のサブフレームに対応するサブフレーム番号のうち、高いほうからＭ２個のサブフレーム番号と、
のうちの一部又は全てであることが好ましい。
ここで、Ｍ１とＭ２が正整数である。
【０１０６】
上記プロセッサ９００は、更に、１つの下りＣＳＩ測定サブフレーム集合について、当該下りＣＳＩ測定サブフレーム集合が設定条件を満たすと確定すると、当該下りＣＳＩ測定サブフレーム集合の下りＡ−ＣＳＩ基準サブフレーム番号を確定することが好ましい。
【０１０７】
上記設定条件は、当該下りＣＳＩ測定サブフレーム集合に属する下りＡ−ＣＳＩ基準サブフレームが［サブフレームｎ−ｋ１，サブフレームｎ−ｋ２］の間に存在しないこと、ネットワーク側で、当該下りＣＳＩ測定サブフレーム集合に対する下りＡ−ＣＳＩ基準サブフレーム番号を設定することのうちの一部又は全てを含むことが好ましい。
ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
【０１０８】
上記プロセッサ９００は、更に、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することが好ましい。
ここで、サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２。
【０１０９】
ｋ２＝４であることが好ましい。
【０１１０】
上記プロセッサ９００は、具体的に、上記下りＡ−ＣＳＩ基準サブフレーム番号に対応し、サブフレームｎに最も近いサブフレームが上りサブフレームであると、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は、
上記下りＡ−ＣＳＩ基準サブフレーム番号に対応し、サブフレームｎに最も近いサブフレームが下りサブフレームであると、当該下りサブフレームを下りＡ−ＣＳＩ基準サブフレームとすることが好ましい。
ここで、上記ユーザ機器がＡ−ＣＳＩをフィードバックする上りサブフレーム。
【０１１１】
上記プロセッサ９００は、更に、ユーザ機器に設定する下りＣＳＩ測定サブフレーム集合が２つであると、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することが好ましい。
【０１１２】
上記プロセッサ９００は、更に、１つの下りＣＳＩ測定サブフレーム集合に対し、当該下りＣＳＩ測定サブフレーム集合の下りＡ−ＣＳＩ基準サブフレームを上記ユーザ機器に通知することが好ましい。
【０１１３】
上記プロセッサ９００は、更に、少なくとも１つのＣＳＩ測定サブフレーム集合に対するＡ−ＣＳＩトリガシグナルをユーザ機器に送信し、当該測定サブフレーム集合に対するＡ−ＣＳＩを報告するようユーザ機器をトリガすることが好ましい。
ここで、ユーザ機器から報告される上記Ａ−ＣＳＩは、上記確定したＡ−ＣＳＩ基準サブフレームで測定される。
【０１１４】
ここで、図９において、バスアーキテクチャは、任意数の相互接続するバスとブリッジを含み、具体的に、プロセッサ９００をはじめとする１つ又は複数のプロセサとメモリ９２０の各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー９１０は、複数の部品であってもよく、即ち送信機と受信機を含み、伝送媒体でほかの各種類の装置と通信するユニットとして提供される。プロセッサ９００は、バスアーキテクチャと通常の処理を管理する。メモリ９２０は、プロセッサ９００による作業時に使用されるデータを記憶できる。
プロセッサ９００は、バスアーキテクチャと通常の処理を管理する。メモリ９２０は、プロセッサ９００による作業時に使用されるデータを記憶できる。
【０１１５】
図１０に示すように、本発明の実施例７の基準サブフレーム確定用のシステムは、
ネットワーク側で設定された少なくとも２つの下りＣＳＩ測定サブフレーム集合を確定し、１つの下りＣＳＩ測定サブフレーム集合に対し、所定のルールに従い、当該下りＣＳＩ測定サブフレーム集合の下り非周期的チャネル状態情報Ａ−ＣＳＩ基準サブフレーム番号を確定し、確定した上記下りＡ−ＣＳＩ基準サブフレーム番号に基づいて下りＡ−ＣＳＩ基準サブフレームを確定するためのユーザ機器１０と、
ユーザ機器に設定する少なくとも２つの下りＣＳＩ測定サブフレーム集合を確定し、１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するためのネットワーク側機器１１とを含む。
【０１１６】
本発明の実施例において、１つの下りＣＳＩ測定サブフレーム集合について、上記ユーザ機器は、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定する。よって、ユーザ機器は、Ａ−ＣＳＩフィードバックサブフレーム毎に、Ａ−ＣＳＩをフィードバックする必要のある下りＣＳＩ測定サブフレーム集合を確定し、対応するＡ−ＣＳＩ測定基準サブフレームを取得することができ、ユーザ機器の処理複雑度を効果的に低下させ、ユーザ機器の電力損失を減少させる。
【０１１７】
本発明の実施例は、方法、システム、又はコンピュータプログラムプロダクトとして提供されうると当業者が理解できる。従って、本発明は、完全ハードウェアの実施例、完全ソフトウェアの実施例、又はソフトウェアとハードウェアを組み合わせた実施例の形態を取り得る。しかも、本発明は、コンピュータ利用可能プログラムコードを含む１つ又は複数のコンピュータ利用可能記憶媒体（磁気ディスクメモリ、ＣＤ−ＲＯＭ、光学メモリなどを含むが、それらに限らない）で実施されるコンピュータプログラムプロダクトの形態を取り得る。
【０１１８】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを通用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【０１１９】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１２０】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１２１】
本発明の好適な実施例を記載したが、当業者は、基本的な創造性概念をいったん知ると、これらの実施例に対し別の変更や修正をすることができる。従って、添付の特許請求の範囲は、好適な実施例及び本発明の範囲に入る全ての変更や修正を含むことを意図とする。
【０１２２】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１Ａ】
2017517197.tif 000003
【図１Ｂ】
2017517197.tif 000004
【図１Ｃ】
2017517197.tif 000005
【図１Ｄ】
2017517197.tif 000006
【図１Ｅ】
2017517197.tif 000007
【図１Ｆ】
2017517197.tif 000008
【図２】
2017517197.tif 000009
【図３Ａ】
2017517197.tif 000010
【図３Ｂ】
2017517197.tif 000011
【図４】
2017517197.tif 000012
【図５】
2017517197.tif 000013
【図６】
2017517197.tif 000014
【図７】
2017517197.tif 000015
【図８】
2017517197.tif 000016
【図９】
2017517197.tif 000017
【図１０】
2017517197.tif 000018
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
ユーザ機器が、ネットワーク側で設定された少なくとも２つの下りチャネル状態情報ＣＳＩ測定サブフレーム集合を確定することと、
上記ユーザ機器が、１つの下りＣＳＩ測定サブフレーム集合に対し、所定のルールに従い、当該下りＣＳＩ測定サブフレーム集合の下り非周期的チャネル状態情報Ａ−ＣＳＩ基準サブフレーム番号を確定し、確定した上記下りＡ−ＣＳＩ基準サブフレーム番号に基づいて下りＡ−ＣＳＩ基準サブフレームを確定することと
を含むことを特徴とする基準サブフレーム確定用の方法。
【請求項２】
上記所定のルールは、
ネットワーク側機器からユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること
のうちの一部又は全てを含み、
上記サブセットには、少なくとも１つのサブフレームを含むことを特徴とする請求項１に記載の方法。
【請求項３】
上記プロトコルで設定されたルールは、
下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含み、
下りＣＳＩ測定サブフレーム集合の中のサブフレームに対応するサブフレーム番号は、
下りＣＳＩ測定サブフレーム集合の中のサブフレームに対応するサブフレーム番号のうち、低いほうからＭ１（Ｍ１が正整数である）個のサブフレーム番号と、
下りＣＳＩ測定サブフレーム集合の中のサブフレームに対応するサブフレーム番号のうち、高いほうからＭ２（Ｍ２が正整数である）個のサブフレーム番号と、
のうちの一部又は全てであることを特徴とする請求項２に記載の方法。
【請求項４】
上記ユーザ機器が、１つの下りＣＳＩ測定サブフレーム集合に対し、所定のルールに従い、当該下りＣＳＩ測定サブフレーム集合の下りＡ−ＣＳＩ基準サブフレーム番号を確定する前に、
上記ユーザ機器が、当該下りＣＳＩ測定サブフレーム集合に対し、設定条件を満たすと確定することを更に含み、
上記設定条件は、
当該下りＣＳＩ測定サブフレーム集合に属する下りＡ−ＣＳＩ基準サブフレームが［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）の間に存在しないこと、
ネットワーク側で、当該下りＣＳＩ測定サブフレーム集合に対する下りＡ−ＣＳＩ基準サブフレーム番号を設定すること
のうちの一部又は全てを含み、
上記ユーザ機器が、ネットワーク側で設定された少なくとも２つの下りＣＳＩ測定サブフレーム集合を確定してから、
上記ユーザ機器が、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することを更に含むことを特徴とする請求項１〜３のいずれか一項に記載の方法。
【請求項５】
上記ユーザ機器が、確定した上記下りＡ−ＣＳＩ基準サブフレームに基づいて下りＡ−ＣＳＩ基準サブフレームを確定してから、更に、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、上記ユーザ機器が、確定した下りＡ−ＣＳＩ基準サブフレームのうち、サブフレームｎに最も近い１つの下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、上記ユーザ機器が、確定した下りＡ−ＣＳＩ基準サブフレームで当該下りＣＳＩ測定サブフレーム集合のＡ−ＣＳＩを測定し、当該下りＣＳＩ測定サブフレーム集合に対応するＡ−ＣＳＩトリガシグナルをサブフレームｎ−ｋ１で受信すると、サブフレームｎで測定値をフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが複数であると、上記ユーザ機器が、確定した下りＡ−ＣＳＩ基準サブフレームのうち、サブフレームｎに最も近い１つの下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックし、
又は、
１つの下りＣＳＩ測定サブフレーム集合が上記設定条件を満し、且つ確定した当該下りＣＳＩ測定サブフレーム集合の下りＡ−ＣＳＩ基準サブフレームが１つであると、上記ユーザ機器が、確定した下りＡ−ＣＳＩ基準サブフレームのベースバンド信号値を記憶し、当該下りＣＳＩ測定サブフレーム集合に対応するＡ−ＣＳＩトリガシグナルをサブフレームｎ−ｋ１で受信すると、記憶した信号に基づいて、当該下りＣＳＩ測定サブフレーム集合のＡ−ＣＳＩ測定値を確定し、確定したＡ−ＣＳＩ測定値をサブフレームｎでフィードバックし、
又は、
１つの下りＣＳＩ測定サブフレーム集合に対し、確定した当該下りＣＳＩ測定サブフレーム集合の下りＡ−ＣＳＩ基準サブフレームが複数であると、上記ユーザ機器が、確定した下りＡ−ＣＳＩ基準サブフレームのうち、サブフレームｎに最も近い１つの下りＡ−ＣＳＩ基準サブフレームで当該下りＣＳＩ測定サブフレーム番号集合のＡ−ＣＳＩを測定し、
又は、
１つの下りＣＳＩ測定サブフレーム集合に対し、確定した当該下りＣＳＩ測定サブフレーム集合の下りＡ−ＣＳＩ基準サブフレームが１つであると、上記ユーザ機器が、確定した下りＡ−ＣＳＩ基準サブフレームのベースバンド信号値を記憶することを含むことを特徴とする請求項４に記載の方法。
【請求項６】
上記ユーザ機器が、確定した上記下りＡ−ＣＳＩ基準サブフレーム番号に基づいて下りＡ−ＣＳＩ基準サブフレームを確定することは、
上記下りＡ−ＣＳＩ基準サブフレーム番号に対応し、サブフレームｎ（上記ユーザ機器がＡ−ＣＳＩをフィードバックする上りサブフレーム）に最も近いサブフレームが上りサブフレームであると、上記ユーザ機器が、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は
上記下りＡ−ＣＳＩ基準サブフレーム番号に対応し、サブフレームｎに最も近いサブフレームが下りサブフレームであると、上記ユーザ機器が、当該下りサブフレームを下りＡ−ＣＳＩ基準サブフレームとすることを含むことを特徴とする請求項１〜５のいずれか一項に記載の方法。
【請求項７】
ネットワーク側で設定された下りＣＳＩ測定サブフレーム集合が２つであると、
上記ユーザ機器が、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することを特徴とする請求項１〜６のいずれか一項に記載の方法。
【請求項８】
ネットワーク側機器が、ユーザ機器に設定する少なくとも２つの下りＣＳＩ測定サブフレーム集合を確定することと、
上記ネットワーク側機器が、１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定することと
を含むことを特徴とする基準サブフレーム確定用の方法。
【請求項９】
上記所定のルールは、
ネットワーク側がユーザ機器に設定した下りＡ−ＣＳＩ基準サブフレームに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること、
プロトコルで設定されたルールに基づいて、下りＣＳＩ測定サブフレーム集合のサブセットに対応するサブフレーム番号を、当該ＣＳＩ測定サブフレーム集合の下りＡ−ＣＳＩ基準サブフレーム番号として確定すること
のうちの一部又は全てを含み、
上記サブセットには、少なくとも１つのサブフレームを含むことを特徴とする請求項８に記載の方法。
【請求項１０】
上記プロトコルで設定されたルールは、
下りＣＳＩ測定サブフレーム集合の中のサブフレームに対応するサブフレーム番号に基づいて、当該下りＣＳＩ測定サブフレーム集合の下りＡ−ＣＳＩ基準サブフレームのサブフレーム番号を確定することを含み、
下りＣＳＩ測定サブフレーム集合の中のサブフレームに対応するサブフレーム番号は、
下りＣＳＩ測定サブフレーム集合の中のサブフレームに対応するサブフレーム番号のうち、低いほうからＭ１（Ｍ１が正整数である）個のサブフレーム番号と、
下りＣＳＩ測定サブフレーム集合の中のサブフレームに対応するサブフレーム番号のうち、高いほうからＭ２（Ｍ２が正整数である）個のサブフレーム番号と、
のうちの一部又は全てであることを特徴とする請求項９に記載の方法。
【請求項１１】
上記ネットワーク側機器が、１つの下りＣＳＩ測定サブフレーム集合に対し、所定のルールに従い、当該下りＣＳＩ測定サブフレーム集合の下りＡ−ＣＳＩ基準サブフレーム番号を確定する前に、
上記ネットワーク側機器が、当該下りＣＳＩ測定サブフレーム集合に対し、設定条件を満たすと確定することを更に含み、
上記設定条件は、
当該下りＣＳＩ測定サブフレーム集合に属する下りＡ−ＣＳＩ基準サブフレームが［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）の間に存在しないこと、
ネットワーク側で、当該下りＣＳＩ測定サブフレーム集合に対する下りＡ−ＣＳＩ基準サブフレーム番号を設定すること
のうちの一部又は全てを含み、
上記ネットワーク側機器が、ネットワーク側で設定された少なくとも２つの下りＣＳＩ測定サブフレーム集合を確定してから、
上記ネットワーク側機器が、１つの下りＣＳＩ測定サブフレーム集合について、当該下りＣＳＩ測定サブフレーム集合が上記設定条件を満たさないと、［サブフレームｎ−ｋ１，サブフレームｎ−ｋ２］（サブフレームｎは、上記ユーザ機器がＡ−ＣＳＩをフィードバックする上りサブフレーム、サブフレームｎ−ｋ１は、Ａ−ＣＳＩトリガシグナルを送信する下りサブフレームであり、ｋ１、ｋ２が正整数であり、且つｋ１≧ｋ２）から、サブフレームｎに最も近く当該下りＣＳＩ測定サブフレーム集合に属する下りサブフレームを、当該下りＣＳＩ測定サブフレーム集合の下りＡ−ＣＳＩ基準サブフレームとして確定することを更に含むことを特徴とする請求項８〜１０のいずれか一項に記載の方法。
【請求項１２】
上記ネットワーク側機器が、確定した上記下りＡ−ＣＳＩ基準サブフレーム番号に基づいて下りＡ−ＣＳＩ基準サブフレームを確定することは、
上記下りＡ−ＣＳＩ基準サブフレーム番号に対応し、サブフレームｎ（上記ユーザ機器がＡ−ＣＳＩをフィードバックする上りサブフレーム）に最も近いサブフレームが上りサブフレームであると、上記ネットワーク側機器が、上記下りＡ−ＣＳＩ基準サブフレーム番号に対応するサブフレームのうち、サブフレームｎに最も近い１つの下りサブフレームを下りＡ−ＣＳＩ基準サブフレームとし、
又は
上記下りＡ−ＣＳＩ基準サブフレーム番号に対応し、サブフレームｎに最も近いサブフレームが下りサブフレームであると、上記ネットワーク側機器が、当該下りサブフレームを下りＡ−ＣＳＩ基準サブフレームとすることを含み、
ユーザ機器に設定する下りＣＳＩ測定サブフレーム集合が２つであると、
上記ネットワーク側機器が、２つの下りＣＳＩ測定サブフレーム集合のうちの１つのみに対し、所定のルールに従い、当該下りＣＳＩ測定サブフレーム集合の下りＡ−ＣＳＩ基準サブフレームを確定することを特徴とする請求項８〜１１のいずれか一項に記載の方法。
【請求項１３】
上記ネットワーク側機器が、確定した上記下りＡ−ＣＳＩ基準サブフレーム番号に基づいて下りＡ−ＣＳＩ基準サブフレームを確定してから、
１つの下りＣＳＩ測定サブフレーム集合に対し、上記ネットワーク側機器が、当該下りＣＳＩ測定サブフレーム集合の下りＡ−ＣＳＩ基準サブフレームを上記ユーザ機器に通知すること、
又は、
上記ネットワーク側機器が、少なくとも１つのＣＳＩ測定サブフレーム集合に対するＡ−ＣＳＩトリガシグナルをユーザ機器に送信し、当該測定サブフレーム集合に対するＡ−ＣＳＩ（上記確定したＡ−ＣＳＩ基準サブフレームで測定される）を報告するようユーザ機器をトリガすることを更に含むことを特徴とする請求項８〜１２のいずれか一項に記載の方法。
【請求項１４】
ネットワーク側で設定された少なくとも２つの下りＣＳＩ測定サブフレーム集合を確定するための第１集合確定モジュールと、
１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するための第１サブフレーム確定モジュールと
を含むことを特徴とする基準サブフレーム確定用のユーザ機器。
【請求項１５】
ユーザ機器に設定する少なくとも２つの下りＣＳＩ測定サブフレーム集合を確定するための第２集合確定モジュールと、
１つの下りＣＳＩ測定サブフレーム集合に対し、所定のルールに従い、当該下りＣＳＩ測定サブフレーム集合の下りＡ−ＣＳＩ基準サブフレーム番号を確定し、確定した上記下りＡ−ＣＳＩ基準サブフレーム番号に基づいて下りＡ−ＣＳＩ基準サブフレームを確定するための第２サブフレーム確定モジュールと
を含むことを特徴とする基準サブフレーム確定用のネットワーク側機器。
【国際調査報告】
2017517197.tif 000019
2017517197.tif 000020
2017517197.tif 000021
2017517197.tif 000022